(57)【要約】【課題】複数の光源からの光が一方向に偏らないようにする。【解決手段】直管形ＬＥＤ照明装置１００は、器具筐体１０と、この器具筐体１０に取り付けられる電源ユニット２０と、この電源ユニット２０を覆うように器具筐体１０に取り付けられるＬＥＤモジュールユニット３０と、このＬＥＤモジュールユニット３０を覆うように器具筐体１０に取り付けられる透光性カバー４０とを備える。ＬＥＤモジュールユニット３０は、階段状に折り曲げられ、雛壇形状を成す金属製のモジュールベース３１と、このモジュールベース３１に取り付けられ、一面にＬＥＤパッケージ３２１が実装され、この一面に対して略縦方向に発光する縦方向発光ＬＥＤモジュールと、モジュールベース３１に取り付けられ、一面にＬＥＤパッケージ３３１が実装され、この一面に対して略横方向に発光する横方向発光ＬＥＤモジュールとを備える。【選択図】図１
2012123982.tif 000002
【特許請求の範囲】
【請求項１】
光源が実装された複数の基板と、
階段状に形成された複数の段を有し、当該複数の段にそれぞれの基板が設置される基板設置部と
を備えることを特徴とする照明装置。
【請求項２】
前記基板設置部の複数の段のうち、最上段と最下段とのいずれか一方の段に設置される基板に実装された光源の光軸と、他方の段に設置される基板に実装された光源の光軸との相対角度が０度より大きいことを特徴とする請求項１の照明装置。
【請求項３】
前記相対角度が略直角であることを特徴とする請求項２の照明装置。
【請求項４】
前記基板設置部の複数の段のうち、最上段から総段数の略半分の段に設置される基板に実装された光源の光軸同士の相対角度が略０度であり、当該略半分の段以外の段に設置される基板に実装された光源の光軸同士の相対角度が略０度であることを特徴とする請求項３の照明装置。
【請求項５】
前記基板設置部の複数の段のうち、少なくとも１つの段の基板が設置される面は、他の段の基板が設置される面に対して傾斜していることを特徴とする請求項１から４のいずれかの照明装置。
【請求項６】
前記照明装置は、さらに、
略半円筒状に形成された透光性カバーを備え、
前記基板設置部の複数の段は、前記基板設置部の上下端のいずれか一方から前記基板設置部の短手方向の左右端の両方に向かって徐々に高さが低くなるように形成され、前記透光性カバーによって覆われていることを特徴とする請求項１から５のいずれかの照明装置。
【請求項７】
前記照明装置は、さらに、
略円筒状に形成された透光性カバーを備え、
前記基板設置部の複数の段は、前記基板設置部の上下端の両方から前記基板設置部の短手方向の左右端の両方に向かって徐々に高さが低くなるように形成され、前記透光性カバーによって覆われていることを特徴とする請求項１から５のいずれかの照明装置。
【請求項８】
前記基板設置部の複数の段は、前記基板設置部の上下端のいずれか一方から前記基板設置部の左右端の両方に向かって徐々に高さが低くなるように形成され、
前記複数の基板は、前記基板設置部の複数の段のうち、前記基板設置部の左右端から遠い段に設置されるものほど大きさが小さくなるように、平面視略ドーナツ状に形成されていることを特徴とする請求項１から５のいずれかの照明装置。
【請求項９】
前記複数の基板は、全てを組み合わせると１枚の略平面状の基板を構成するように形成されていることを特徴とする請求項１から８のいずれかの照明装置。
【請求項１０】
前記照明装置は、さらに、
前記複数の基板に実装された光源を点灯させる点灯装置を備え、
前記基板設置部は、階段状に折れ曲がって前記複数の段を形成する板状部材であって、それぞれの基板が設置される側と反対側に前記点灯装置を収容する空間を形成する板状部材からなることを特徴とする請求項１から９のいずれかの照明装置。
【請求項１１】
前記基板設置部は、金属で形成されていることを特徴とする請求項１から１０のいずれかの照明装置。
【発明の詳細な説明】
【技術分野】
【０００１】
本発明は、照明装置に関するものである。本発明は、特に、ＬＥＤ照明装置において、効率のよい光の拡散、放熱性の向上、小型化を図る技術に関するものである。
【背景技術】
【０００２】
ＬＥＤを複数個接続した直管形や電球形のＬＥＤ照明装置の普及が加速している。例えば直管形ＬＥＤ照明装置は、ＬＥＤパッケージを複数個配置した平面のＬＥＤモジュールを器具筐体に取り付け、器具筐体内部にＬＥＤを点灯させる電源ユニットを固定した構造が一般的である（例えば、特許文献１参照）。電球形ＬＥＤ照明装置は、円形もしくは四角形の平面のＬＥＤモジュールにＬＥＤパッケージを複数個配置し、電源ユニットを口金付近に収納した構造が一般的である（例えば、特許文献２参照）。
【先行技術文献】
【特許文献】
【０００３】
【特許文献１】特開２００８−２８７９９４号公報
【特許文献２】特開２００９−３７９９５号公報
【発明の概要】
【発明が解決しようとする課題】
【０００４】
しかしながら、従来の直管形ＬＥＤ照明装置や電球形ＬＥＤ照明装置はＬＥＤパッケージが搭載される基板が平面であり、さらにＬＥＤの特性上、光の指向性が一方向に偏る傾向にあるため、配光が直下（天井等に取り付ける照明の場合）に集中してしまうという課題があった。そのため、部屋全体を明るくするために、ＬＥＤを増やしても、ある一部分の照度だけが増加するという課題があった。例えば、白熱電球は電球全体から発光するが、現行の電球形ＬＥＤ照明装置は、前述したように直下に光が集中するため、白熱電球の置き換えで電球形ＬＥＤ照明装置を使用した場合、天井や壁面の照度が不足するおそれがある。蛍光灯直管形照明の置き換えで直管形ＬＥＤ照明装置を使用した場合でも同様のことが言える。また、電球形ＬＥＤ照明装置は非常に小さな容積の中に電源ユニットを配置する必要があり、小型化の技術的難易度が高い。
【０００５】
本発明は、例えば、複数の光源からの光が一方向に偏らないようにすることを目的とする。
【課題を解決するための手段】
【０００６】
本発明の一の態様に係る照明装置は、
光源が実装された複数の基板と、
階段状に形成された複数の段を有し、当該複数の段にそれぞれの基板が設置される基板設置部とを備える。
【発明の効果】
【０００７】
本発明の一の態様によれば、階段状に形成された複数の段に、光源が実装された複数の基板のそれぞれが設置されるため、複数の光源からの光が一方向に偏らない。例えば、従来の白熱電球あるいは蛍光灯直管形照明の配光との相違が少なく、従来の白熱電球あるいは蛍光灯直管形照明と置き換えてもユーザに違和感を覚えさせない配光の電球形ＬＥＤ照明装置あるいは直管形ＬＥＤ照明装置を提供することができる。
【図面の簡単な説明】
【０００８】
【図１】実施の形態１に係る直管形ＬＥＤ照明装置の（ａ）斜視図、（ｂ）断面図。
【図２】実施の形態１に係る直管形ＬＥＤ照明装置の分解斜視図。
【図３】（ａ）実施の形態１に係るＬＥＤモジュールユニットの斜視図、（ｂ）実施の形態１に係るＬＥＤモジュールの斜視図、（ｃ）実施の形態２に係る直管形ＬＥＤ照明装置の断面図。
【図４】実施の形態３に係る直管形ＬＥＤ照明装置の（ａ）斜視図、（ｂ）断面図。
【図５】実施の形態３に係る直管形ＬＥＤ照明装置の分解斜視図。
【図６】（ａ）実施の形態３に係るＬＥＤモジュールユニットの斜視図、（ｂ）実施の形態４に係る直管形ＬＥＤ照明装置の断面図。
【図７】実施の形態５に係る電球形ＬＥＤ照明装置の（ａ）斜視図、（ｂ）断面図。
【図８】実施の形態５に係る電球形ＬＥＤ照明装置の分解斜視図。
【図９】（ａ）実施の形態５に係るＬＥＤモジュールの斜視図、（ｂ）実施の形態５に係る電球形ＬＥＤ照明装置の発光方向を示す断面図。
【発明を実施するための形態】
【０００９】
以下、本発明の実施の形態について、図を用いて説明する。
【００１０】
実施の形態１．
図１（ａ）は、本実施の形態に係る直管形ＬＥＤ照明装置１００の斜視図である。図１（ｂ）は、直管形ＬＥＤ照明装置１００の断面図である。図２は、直管形ＬＥＤ照明装置１００の分解斜視図である。
【００１１】
直管形ＬＥＤ照明装置１００は、器具筐体１０と、この器具筐体１０に取り付けられる電源ユニット２０（点灯装置）と、この電源ユニット２０を覆うように器具筐体１０に取り付けられるＬＥＤモジュールユニット３０と、このＬＥＤモジュールユニット３０を覆うように器具筐体１０に取り付けられる透光性カバー４０とを備える。
【００１２】
図３（ａ）は、ＬＥＤモジュールユニット３０の斜視図である。
【００１３】
ＬＥＤモジュールユニット３０は、階段状に折り曲げられ、雛壇形状（あるいは山形形状）を成す金属製のモジュールベース３１（基板設置部）と、このモジュールベース３１に取り付けられ、一面にＬＥＤパッケージ３２１が実装され、この一面に対して略縦方向に発光する縦方向発光ＬＥＤモジュール３２（基板）と、モジュールベース３１に取り付けられ、一面にＬＥＤパッケージ３３１が実装され、この一面に対して略横方向に発光する横方向発光ＬＥＤモジュール３３（基板）とを備える。
【００１４】
モジュールベース３１は、中央１段と、左右にそれぞれ３段の雛壇形状を成している。即ち、モジュールベース３１は、階段状に形成された複数の段を有する。このモジュールベース３１の中央と、その左右１段目には、縦方向発光ＬＥＤモジュール３２が取り付けられ、他の２段には横方向発光ＬＥＤモジュール３３が取り付けられる。
【００１５】
縦方向発光ＬＥＤモジュール３２には、８個のＬＥＤパッケージ３２１が等間隔に一列に実装される。ＬＥＤパッケージ３２１は、実装面に対して縦方向（上方向）に発光する、いわゆるトップエミッタ型ＬＥＤである。ＬＥＤパッケージ３２１は、電源ユニット２０から電力の供給を受けることにより点灯する。なお、ＬＥＤパッケージ３２１の実装数は８個に限らない。また、ＬＥＤパッケージ３２１の配置は等間隔でなくてもよいし、複数列に配置される等、別の配置方法を採用してもよい。
【００１６】
横方向発光ＬＥＤモジュール３３には、８個のＬＥＤパッケージ３３１が等間隔に一列に実装される。ＬＥＤパッケージ３３１は、実装面に対して横方向に発光する（側面への照射特性を有する）、いわゆるサイドエミッタ型ＬＥＤである。ＬＥＤパッケージ３３１は、電源ユニット２０から電力の供給を受けることにより点灯する。なお、ＬＥＤパッケージ３３１の実装数は８個に限らない。また、ＬＥＤパッケージ３３１の配置は等間隔でなくてもよいし、複数列に配置される等、別の配置方法を採用してもよい。
【００１７】
上記のように、本実施の形態では、モジュールベース３１の複数の段のうち、最上段（照明器具の設置状態でみたときには最下段）に設置される基板（即ち、縦方向発光ＬＥＤモジュール３２）に実装されたＬＥＤの光軸と、最下段に設置される基板（即ち、横方向発光ＬＥＤモジュール３３）に実装されたＬＥＤの光軸との相対角度が０度より大きい。このため、複数のＬＥＤからの光が一方向に偏らない。特に、本実施の形態では、相対角度が略直角であるため、直管形ＬＥＤ照明装置１００からの光を縦横に分散させることができる。
【００１８】
また、本実施の形態では、モジュールベース３１の複数の段のうち、最上段から総段数の略半分の段に設置される基板（即ち、縦方向発光ＬＥＤモジュール３２）に実装されたＬＥＤ同士の相対角度が略０度であり、当該略半分の段以外の段に設置される基板（即ち、横方向発光ＬＥＤモジュール３３）に実装されたＬＥＤの光軸同士の相対角度が略０度である。このため、例えば、直管形ＬＥＤ照明装置１００からの光を、より確実に縦横に分散させることができる。
【００１９】
なお、モジュールベース３１の複数の段の全てに設置される基板に実装されたＬＥＤの光軸同士の相対角度が略０度であっても構わない（例えば、モジュールベース３１の全ての段に縦方向発光ＬＥＤモジュール３２を設置してもよい）。この場合も、ＬＥＤが実装された複数の基板が階段状に配置されているため、直管形ＬＥＤ照明装置１００からの光を分散させることができる。
【００２０】
図３（ｂ）は、縦方向発光ＬＥＤモジュール３２及び横方向発光ＬＥＤモジュール３３の斜視図である。
【００２１】
図３（ｂ）に示すように、３枚の縦方向発光ＬＥＤモジュール３２と、４枚の横方向発光ＬＥＤモジュール３３は、１枚の平面基板から切り出されている。即ち、ＬＥＤが実装された７枚の基板が、全てを組み合わせると１枚の略平面状の基板を構成するように形成されている（複数の長方形ＬＥＤモジュールを重ねると１枚の平面板になる）。このため、製造時に廃却される捨て基板を少なくすることができ、基板のロスが最小限になる。
【００２２】
直管形ＬＥＤ照明装置１００は、以下の工程により組み立てられる。
【００２３】
まず、モジュールベース３１の上部２段に縦方向発光ＬＥＤモジュール３２を取り付け、下部２段に横方向発光ＬＥＤモジュール３３を取り付けて、ＬＥＤモジュールユニット３０を構成する。次に、器具筐体１０に電源ユニット２０を取り付け、この電源ユニット２０を覆うようにＬＥＤモジュールユニット３０を器具筐体１０に取り付ける。最後に、ＬＥＤモジュールユニット３０を覆うように透光性カバー４０を器具筐体１０に取り付ける。
【００２４】
このように、本実施の形態では、モジュールベース３１にそれぞれ縦方向発光ＬＥＤモジュール３２と横方向発光ＬＥＤモジュール３３を取り付けるので、縦方向発光ＬＥＤモジュール３２と横方向発光ＬＥＤモジュール３３が山形に配置される。モジュールベース３１の上部２段には上方向（照明器具の設置状態でみたときには下方向）の指光性を有した縦方向発光ＬＥＤモジュール３２が、モジュールベース３１の下部２段には横方向の指光性を有した横方向発光ＬＥＤモジュール３３が取り付けられるので、照明器具（直管形ＬＥＤ照明装置１００）を天井等に取り付けた場合（図示したものとは上下が逆転することになる）、照明器具の直下の照度だけでなく、横方向、斜め下方向の照度も確保できる（即ち、床面・壁面の照度を十分確保できる）。
【００２５】
また、本実施の形態では、透光性カバー４０によって、縦方向発光ＬＥＤモジュール３２及び横方向発光ＬＥＤモジュール３３が発する光を拡散させることができるので、より従来の光源、例えば直管形蛍光ランプの配光に近づけることができる。
【００２６】
また、本実施の形態では、モジュールベース３１が、階段状に折れ曲がって複数の段を形成する板状部材からなる。そして、モジュールベース３１の裏側には山形の空間ができるため、この空間に電源ユニット２０を収納することができる。即ち、モジュールベース３１は、縦方向発光ＬＥＤモジュール３２や横方向発光ＬＥＤモジュール３３が設置される側と反対側に電源ユニット２０を収容する空間を形成する板状部材からなる。このため、直管形ＬＥＤ照明装置１００の外形を小さくすることができる（即ち、直管形ＬＥＤ照明装置１００を小型化することができる）。
【００２７】
また、本実施の形態では、モジュールベース３１が、金属で形成されているため、縦方向発光ＬＥＤモジュール３２（ＬＥＤパッケージ３２１）及び横方向発光ＬＥＤモジュール３３（ＬＥＤパッケージ３３１）から発生した熱がモジュールベース３１へ伝達される（即ち、直管形ＬＥＤ照明装置１００の放熱性を高めることができる）。モジュールベース３１は階段状になっており、平面的な構成よりも放熱面積を十分に確保できる。
【００２８】
なお、本実施の形態において、ＬＥＤパッケージ３２１，３３１は、光源の例であり、有機ＥＬ等、他の種類の光源に置き換えても構わない。
【００２９】
また、本実施の形態では、直管形ＬＥＤ照明装置１００が３枚の縦方向発光ＬＥＤモジュール３２と４枚の横方向発光ＬＥＤモジュール３３、合計で７枚の基板を備えているが、７枚未満又は８枚以上の基板を備えていても構わない。いずれの場合も、モジュールベース３１の複数（望ましくは、基板の枚数と同数）の段にそれぞれの基板が設置される。このため、照明器具（直管形ＬＥＤ照明装置１００）を天井等に取り付けた場合、照明器具の直下の照度だけでなく、他の方向の照度も高めることができる。即ち、それぞれの基板に実装された光源からの光が一方向に偏らない。
【００３０】
また、本実施の形態では、モジュールベース３１の複数の段が、モジュールベース３１の上端（照明器具の設置状態でみたときには下端）からモジュールベース３１の短手方向の左右端の両方に向かって（即ち、図１（ｂ）の破線矢印の方向に）徐々に高さが低くなるように（即ち、全体として略山形に）形成されているが、モジュールベース３１の上端からモジュールベース３１の短手方向の左右いずれか一端のみに向かって徐々に高さが低くなるように形成されていても構わない。この場合、モジュールベース３１（ＬＥＤモジュールユニット３０）は、本実施の形態のように略半円筒状に形成された透光性カバー４０の代わりに、例えば、略四半円筒状（又は断面扇状）に形成された透光性カバーで覆われる。
【００３１】
実施の形態２．
本実施の形態について、主に実施の形態１との差異を説明する。
【００３２】
図３（ｃ）は、本実施の形態に係る直管形ＬＥＤ照明装置１００ａの断面図である。
【００３３】
直管形ＬＥＤ照明装置１００ａは、実施の形態１のＬＥＤモジュールユニット３０と構成が異なるＬＥＤモジュールユニット３０ａを備える。ＬＥＤモジュールユニット３０ａは、モジュールベース３１ａ（基板設置部）の縦方向発光ＬＥＤモジュール３２が取り付けられる一部の取付面が斜めになっている。即ち、本実施の形態では、モジュールベース３１ａの複数の段のうち、少なくとも１つの段の基板が設置される面は、他の段の基板が設置される面に対して傾斜している。
【００３４】
本実施の形態では、モジュールベース３１ａの中央（最上段）と、その左右１段目だけでなく、左右２段目にも、縦方向発光ＬＥＤモジュール３２が取り付けられる。そして、左右３段目（最下段）のみに横方向発光ＬＥＤモジュール３３が取り付けられる。
【００３５】
このように、本実施の形態では、縦方向発光ＬＥＤモジュール３２が取り付けられる一部の取付面の角度が斜めとなるので、取付面を全て同一角度にした場合に比べ、縦方向発光ＬＥＤモジュール３２が発する光をより広げることができ、実施の形態１の直管形ＬＥＤ照明装置１００と比較して、より広範囲に、かつ、均一に照度を確保できる。
【００３６】
実施の形態３．
本実施の形態について、主に実施の形態１との差異を説明する。
【００３７】
図４（ａ）は、本実施の形態に係る直管形ＬＥＤ照明装置１００ｂの斜視図である。図４（ｂ）は、直管形ＬＥＤ照明装置１００ｂの断面図である。図５は、直管形ＬＥＤ照明装置１００ｂの分解斜視図である。
【００３８】
直管形ＬＥＤ照明装置１００ｂは、チューブ状の円筒形カバー４０ａ（略円筒状に形成された透光性カバー）と、この円筒形カバー４０ａの両端に取り付けられる口金部５０と、円筒形カバー４０ａの内側に収納されるＬＥＤモジュールユニット３０ｂと、口金部５０に電気的に接続され、ＬＥＤモジュールユニット３０ｂに電力を供給する電源ユニット２０ａ（点灯装置）とを備える。
【００３９】
円筒形カバー４０ａは、透光性の樹脂で形成されている。
【００４０】
それぞれの口金部５０は、円筒形カバー４０ａに取り付けられる取付部５１と、この取付部５１から外方に突出する１対の口金ピン５２とを備える。この口金ピン５２は、照明器具に取り付けられたとき、商用電源や、直流電源等に接続される部分である。なお、２つある口金部５０の一方は、口金ピン５２の代わりに、アースピンを備えていても構わない。この場合、アースピンは少なくとも１本備えられていればよい。
【００４１】
電源ユニット２０ａは、ＬＥＤモジュールユニット３０ｂに電力を供給する電子回路部（図示していない）と、この電子回路部を覆う電源ケース２２と、電源ケース２２から一部が露出し、口金部５０の口金ピン５２に接触して、口金ピン５２及び電子回路部を電気的に接続するソケット部２３とを備える。
【００４２】
図６（ａ）は、ＬＥＤモジュールユニット３０ｂの斜視図である。
【００４３】
ＬＥＤモジュールユニット３０ｂは、実施の形態１のＬＥＤモジュールユニット３０を背中合わせに２つ組み合わせたもので、中央部が空間となっている。
【００４４】
このように、本実施の形態では、実施の形態１のＬＥＤモジュールユニット３０を組み合わせてＬＥＤモジュールユニット３０ｂを構成しているため、実施の形態１と同様に均等な配光の実現が可能となる。
【００４５】
また、本実施の形態では、モジュールベース３１の複数の段が、ＬＥＤモジュールユニット３０ｂ（２つのモジュールベース３１全体）の上下端の両方からＬＥＤモジュールユニット３０ｂの短手方向の左右端の両方に向かって（即ち、図４（ｂ）の破線矢印の方向に）徐々に高さが低くなるように形成されている。そして、２つのモジュールベース３１は、実施の形態１と同様に、縦方向発光ＬＥＤモジュール３２や横方向発光ＬＥＤモジュール３３が設置される側と反対側に電源ユニット２０を収容する空間を形成する板状部材からなる。このため、モジュールベース３１の裏側スペースに電源ユニット２０ａを搭載でき、直管形ＬＥＤ照明装置１００ｂの小型化が可能である。さらに、モジュールベース３１が金属製であるため、モジュールベース３１によって、縦方向発光ＬＥＤモジュール３２及び横方向発光ＬＥＤモジュール３３の熱を放熱する効果も高まる。
【００４６】
実施の形態４．
本実施の形態について、主に実施の形態３との差異を説明する。
【００４７】
図６（ｂ）は、本実施の形態に係る直管形ＬＥＤ照明装置１００ｃの断面図である。
【００４８】
直管形ＬＥＤ照明装置１００ｃは、実施の形態３のＬＥＤモジュールユニット３０ｂと構成が異なるＬＥＤモジュールユニット３０ｃを備える。ＬＥＤモジュールユニット３０ｃは、実施の形態２のＬＥＤモジュールユニット３０ａを背中合わせに２つ組み合わせたものである。
【００４９】
本実施の形態では、実施の形態２及び実施の形態３の両方の効果が得られる。
【００５０】
実施の形態５．
本実施の形態について、主に実施の形態１との差異を説明する。
【００５１】
図７（ａ）は、本実施の形態に係る電球形ＬＥＤ照明装置１００ｄの斜視図である。図７（ｂ）は、電球形ＬＥＤ照明装置１００ｄの断面図である。図８は、電球形ＬＥＤ照明装置１００ｄの分解斜視図である。
【００５２】
電球形ＬＥＤ照明装置１００ｄは、ランプソケットにねじ込まれる口金部５０ａと、この口金部５０ａに取り付けられるラッパ形状のベース本体６０と、このベース本体６０の内部に取り付けられる電源ユニット２０ｂ（点灯装置）と、この電源ユニット２０ｂを覆うようにベース本体６０に取り付けられるＬＥＤモジュールユニット３０ｄと、このＬＥＤモジュールユニット３０ｄを覆うようにベース本体６０に取り付けられる半球状（ドーム状）のカバー４０ｂ（透光性カバー）とを備える。
【００５３】
口金部５０ａは、中空円筒形状をなし、外周（曲面）がねじ山を形成している。口金部５０ａは、その外周（曲面）と底面に極性の異なる電気接触部５２ａ，５２ｂを有する。
【００５４】
ベース本体６０は、ラッパ形状をなし、その内側には、電源ユニット２０ｂが取り付けられるとともに、ＬＥＤモジュールユニット３０ｄが取り付けられる。
【００５５】
電源ユニット２０ｂは、口金部５０ａの電気接触部５２ａ，５２ｂとＬＥＤモジュールユニット３０ｄに電線等によって電気的に接続され、電気接触部５２ａ，５２ｂから給電された交流電力を変換して、ＬＥＤモジュールユニット３０ｄを点灯させる電力を供給する電子回路部（図示していない）を電源ケース内に具備する。
【００５６】
ＬＥＤモジュールユニット３０ｄは、階段形状のモジュールベース３１ｂ（基板設置部）と、このモジュールベース３１ｂに取り付けられ、縦方向に発光する縦方向発光ＬＥＤモジュール３２ａと、モジュールベース３１ｂに取り付けられ、横方向に発光する横方向発光ＬＥＤモジュール３３ａとを備える。
【００５７】
縦方向発光ＬＥＤモジュール３２ａは、ドーナツ形状のＬＥＤ基板３２１ａ（基板）と、このＬＥＤ基板３２１ａに実装され、縦方向に発光するいわゆるトップエミッタ型の複数のＬＥＤパッケージ３２２ａとを備える。なお、ここでは、ＬＥＤ基板３２１ａに８個のＬＥＤパッケージ３２２ａが等間隔に一列に実装されているが、ＬＥＤパッケージ３２２ａの実装数は８個に限らない。また、ＬＥＤパッケージ３２２ａの配置は等間隔でなくてもよいし、複数列に配置される等、別の配置方法を採用してもよい。
【００５８】
横方向発光ＬＥＤモジュール３３ａは、ドーナツ形状のＬＥＤ基板３３１ａ（基板）と、このＬＥＤ基板３３１ａに実装され、横方向に発光するいわゆるサイドエミッタ型の複数のＬＥＤパッケージ３３２ａとを備える。なお、ここでは、ＬＥＤ基板３３１ａに８個のＬＥＤパッケージ３３２ａが等間隔に一列に実装されているが、ＬＥＤパッケージ３３２ａの実装数は８個に限らない。また、ＬＥＤパッケージ３３２ａの配置は等間隔でなくてもよいし、複数列に配置される等、別の配置方法を採用してもよい。
【００５９】
カバー４０ｂは、透光性の樹脂で形成され、縦方向発光ＬＥＤモジュール３２ａと横方向発光ＬＥＤモジュール３３ａが発する光を拡散透過させる。
【００６０】
ＬＥＤモジュールユニット３０ｄのモジュールベース３１ｂの裏側の山形スペースに電源ユニット２０ｂが収納されている。
【００６１】
ＬＥＤ基板３２１ａ，３３１ａは、モジュールベース３１ｂと接触しており、ＬＥＤパッケージ３２２ａ，３３２ａから発生した熱がＬＥＤ基板３２１ａ，３３１ａを介してモジュールベース３１ｂに伝達する。モジュールベース３１ｂは金属製のベース本体６０に接触する構造になっており、ＬＥＤパッケージ３２２ａ，３３２ａが発する熱を放熱する。
【００６２】
図９（ａ）は、縦方向発光ＬＥＤモジュール３２ａ及び横方向発光ＬＥＤモジュール３３ａの斜視図である。
【００６３】
図９（ａ）に示すように、１枚の縦方向発光ＬＥＤモジュール３２ａの基板（即ち、ＬＥＤ基板３２１ａ）と、２枚の横方向発光ＬＥＤモジュール３３ａの基板（即ち、ＬＥＤ基板３３１ａ）は、同心円状となっており、１枚の平面視略ドーナツ状の平面基板を分割して製造される。即ち、ＬＥＤが実装された３枚の基板が、全てを組み合わせると１枚の略平面状の基板を構成するように形成されている（複数のドーナツ形ＬＥＤ基板を重ねると１枚の平面板になる）。このため、製造時に廃却される捨て基板を少なくすることができ、基板のロスが最小限になる。
【００６４】
図９（ｂ）は、電球形ＬＥＤ照明装置１００ｄの発光方向を示す断面図である。
【００６５】
図９（ｂ）に示すように、上方向（縦方向）に光の指向性を有した縦方向発光ＬＥＤモジュール３２ａと、横方向に光の指向性を有した横方向発光ＬＥＤモジュール３３ａが階段状にモジュールベース３１ｂに配置されるため、従来の平面からの発光と比較して光の照射範囲が広がるとともに、光がカバー４０ｂを透過するとき、さらに光を拡散させることができる。
【００６６】
また、本実施の形態では、モジュールベース３１ｂの複数の段が、モジュールベース３１ｂの上端（照明器具の設置状態でみたときには下端）からモジュールベース３１ｂの左右端の両方に向かって（即ち、図７（ｂ）の破線矢印の方向に）徐々に高さが低くなるように形成されている。ＬＥＤが実装された複数の基板（即ち、ＬＥＤ基板３２１ａ，３３１ａ）は、モジュールベース３１ｂの複数の段のうち、モジュールベース３１ｂの左右端から遠い段に設置されるものほど大きさが小さくなるように（即ち、図７（ｂ）の破線矢印の方向に徐々に大きくなるように）、平面視略ドーナツ状に形成されている。そして、モジュールベース３１ｂは、実施の形態１のモジュールベース３１と同様に、ＬＥＤ基板３２１ａ，３３１ａが設置される側と反対側に電源ユニット２０を収容する空間を形成する板状部材からなる。このため、モジュールベース３１ｂの裏側のスペースに電源ユニット２０ｂを搭載でき、電球形ＬＥＤ照明装置１００ｄの小型化が可能である。さらに、モジュールベース３１ｂが金属製であるため、モジュールベース３１ｂによって、放熱効果も高まる。
【００６７】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００６８】
１０  器具筐体、２０，２０ａ，２０ｂ  電源ユニット、２２  電源ケース、２３  ソケット部、３０，３０ａ，３０ｂ，３０ｃ，３０ｄ  ＬＥＤモジュールユニット、３１，３１ａ，３１ｂ  モジュールベース、３２，３２ａ  縦方向発光ＬＥＤモジュール、３３，３３ａ  横方向発光ＬＥＤモジュール、４０  透光性カバー、４０ａ  円筒形カバー、４０ｂ  カバー、５０，５０ａ  口金部、５１  取付部、５２  口金ピン、５２ａ，５２ｂ  電気接触部、６０  ベース本体、１００，１００ａ，１００ｂ，１００ｃ  直管形ＬＥＤ照明装置、１００ｄ  電球形ＬＥＤ照明装置、３２１  ＬＥＤパッケージ、３２１ａ  ＬＥＤ基板、３２２ａ  ＬＥＤパッケージ、３３１  ＬＥＤパッケージ、３３１ａ  ＬＥＤ基板、３３２ａ  ＬＥＤパッケージ。
【図１】
2012123982.tif 000003
【図２】
2012123982.tif 000004
【図３】
2012123982.tif 000005
【図４】
2012123982.tif 000006
【図５】
2012123982.tif 000007
【図６】
2012123982.tif 000008
【図７】
2012123982.tif 000009
【図８】
2012123982.tif 000010
【図９】
2012123982.tif 000011